(57)【特許請求の範囲】
【請求項１】
室内送風用の貫流ファン、ファンケーシングおよび舌部と、前記貫流ファン、ファンケーシング、舌部を回転軸方向より嵌合係止する軸受支持体と、この軸受支持体と同様の構造を有し、前記貫流ファンを回転させるモータを嵌合するモータ支持体とを備え、前記室内送風用部材一式を独立組立てて送風モジュールとして空気調和機内に組み込める構成としたものであって、
空気調和機の本体内部のフレームにくさび状の切欠嵌合部を設け、
送風モジュールを形成するモータ支持体と軸受支持体は、前記切欠嵌合部と接合するようくさび状の凸部を有し、
軸受支持体とモータ支持体が前記切欠嵌合部に脱着可能に嵌合する構成とした空気調和機の室内送風装置。
【請求項２】
送風モジュールを形成する軸受支持体またはモータ支持体の一部に空気調和機本体内部のフレームの側面に接触する弾性突起を設けた請求項１記載の空気調和機の室内送風装置。
【発明の詳細な説明】
【０００１】
【産業上の利用分野】
本発明はビル用空気調和機やセパレート型エアコンなどの室内機の室内送風装置に関する。
【０００２】
【従来の技術】
近年、空気調和機の室内送風装置は、さまざまな場所で広く採用されており、簡便なサービス性、メンテナンス性、ライン生産性はもとより、特殊フィルターなどの採用によるファン圧損増加により各構成部材の取付精度の向上に関する配慮が重要視されつつある。
【０００３】
従来のこの種の空気調和機の送風装置について図５を参照しながら説明する。図に示すように、空気調和機の本体（図示せず）の内部のフレーム１０１内にモータ固定片１０２と軸受固定片１０３が溶接やねじなどの固定手段によりあらかじめ取り付けられ、前記軸受固定片１０３に設置されている軸受（図示せず）に貫流ファン１０４の一方の軸を回動自在に嵌合している。そして、前記貫流ファン１０４の片方はモータ１０５に取付けられ、モータ１０５はモータホルダー１０６を介して前記モータ固定片１０２に取り付けられている。また、ファンケーシング１０７、舌部１０８が前記貫流ファン１０４との間に微妙な間隙を形成し設けられている。
【０００４】
上記構成において、モータ１０５が駆動され、貫流ファン１０４が回転すると、ファンケーシング１０７と舌部１０８の働きにより空気調和機の本体に組み込まれているフィルターや室内熱交換器を通過した冷暖風が室内に送風されていた。
【０００５】
【発明が解決しようとする課題】
このような従来の空気調和機の室内送風装置では、互いに微妙な取付寸法精度が要求されるモータ１０５、貫流ファン１０４、ファンケーシング１０７、舌部１０８などの単品部品を本体フレームに組み付けていく特性上、生産ラインにおける精度のばらつきが大きく、また精度を得るには主生産ラインでの作業時間がばらつき、作業者の作業姿勢にも無理を強いられるという問題があった。また市場におけるサービス性、メンテナンス性という観点でも再組み立ての精度や作業者の作業姿勢など、さまざまな問題があった。
【０００６】
本発明は上記課題を解決するもので、送風部材一式を独立した送風モジュール化することで各部材の相対的取付寸法精度が図れ、かつサービス性も含めた生産性を向上できる空気調和機の室内送風装置を提供することを第１の目的とする。
【０００７】
また、第２の目的は上記モジュール化を図った空気調和機の室内送風装置を、がたつくことなく空気調和機本体に精度良く嵌合設置することにある。
【０００８】
また、第３の目的は空気調和機の本体の嵌合設置部分が軸方向に対するばらつきを生じてもそれらを吸収し、モジュール化を図った空気調和機の室内送風装置が、がたつくことなく精度良く嵌合設置することにある。
【０００９】
【課題を解決するための手段】
本発明の空気調和機の室内送風装置は上記目的を達成するために、室内送風用の貫流ファン、ファンケーシングおよび舌部と、前記貫流ファン、ファンケーシング、舌部を回転軸方向より嵌合係止する軸受支持体と、この軸受支持体と同様の構造を有し、前記貫流ファンを回転させるモータを嵌合するモータ支持体とを備え、前記室内送風用部材一式を独立組立てて送風モジュールとして空気調和機内に組み込める構成としたものであって、空気調和機の本体内部のフレームにくさび状の切欠嵌合部を設け、送風モジュールを形成するモータ支持体と軸受支持体は、前記切欠嵌合部と接合するようくさび状の凸部を有し、軸受支持体とモータ支持体が前記切欠嵌合部に脱着可能に嵌合する構成とする。
【００１１】
また、第１手段に加えて送風モジュールを形成する軸受支持体またはモータ支持体の一部に空気調和機の本体内部のフレームの側面に接触する弾性突起を設けた構成とする。
【００１２】
【作用】
本発明は上記した構成により、送風部材一式を独立した送風モジュール化することで各部材の相対的取付寸法精度が図れ、特殊フィルターなどの採用によるファン圧損増加により各構成部材の取付精度が要求される場合でも平均的な風速分布を得ることができ、また、送風モジュールごとの品質保証が容易におこなえるとともに、サービス性も含めた生産性を向上することができることとなる。
【００１３】
また、モジュール化を図った空気調和機の室内送風装置を、がたつくことなく空気調和機の本体に精度良く嵌合設置することができることとなる。
【００１４】
また、空気調和機の本体の嵌合設置部分が軸方向に対するばらつきが生じてもそれらを吸収し、モジュール化を図った空気調和機の室内送風装置が、がたつくことなく精度良く嵌合設置することができることとなる。
【００１５】
【実施例】
（実施例１）
以下、本発明の第１実施例について図１を参照しながら説明する。図に示すように舌部１とファンケーシング２を回転軸方向より嵌合係止する形状を有し、中央部に軸受（図示せず）を備えた軸受支持体３に前記舌部１とファンケーシング２の一端が嵌合しており、また、貫流ファン４の一方の軸（図示せず）が前記軸受支持体３の軸受に回動自在に嵌合している。また、前記舌部１とファンケーシング２を回転軸方向より嵌合係止する形状を有し、中央部にモータ５の軸（図示せず）が貫通する穴（図示せず）を備えたモータ支持体６に前記舌部１とファンケーシング２の他端が嵌合しており、また、貫流ファン４の他方が前記モータ５の軸に締結している。そして、前記モータ５はモータホルダー７により前記モータ支持体６に嵌合固定され、送風モジュール８を形成している。
【００１６】
上記構成において、モータ５に通電すると貫流ファン４が回転し、舌部１、ファンケーシング２の作用により、送風モジュール８単独で図中にて上方に送風が可能となる。このように本発明の第１実施例の空気調和機の室内送風装置によれば、送風部材一式をモータ支持体６、軸受支持体３という、ばらつき要因の少ない部品で枠組みし、独立した送風モジュール化したことで、従来の室内送風装置の構成に対し各部材の相対的取付寸法精度が図れ、特殊なフィルターなどの採用によるファン圧損増加により各構成部材の取付精度が要求される場合でも平均的な風速分布を得ることができる。また、送風モジュールごとの品質保証が容易におこなえるとともに、サービス性も含めた生産性を向上した空気調和機の室内送風装置を得ることができる。
【００１７】
（実施例２）
以下、本発明の第２実施例について図２および図３を参照しながら説明する。なお、第１実施例と同一部分には同一符号を付けて詳細な説明は各実施例とも省略する。図に示すように、送風モジュール８を形成するモータ支持体と軸受支持体（図示せず）はくさび状の凸部を有し、その凸部の嵌合対応部位となる空気調和機の本体９の内部にくさび状の切欠嵌合部１０を形成したフレーム１１を設ける。そして空気調和機の本体９の内部には送風モジュール８の前方に室内熱交換器１２を設けている。
【００１８】
上記構成において、送風モジュール８は空気調和機の本体９の内部に形成したフレーム１１の切欠嵌合部１０にモータ支持体と軸受支持体のくさび状の凸部が嵌合され、前記送風モジュール８が前記フレーム１１にがたつくことなく精度良く嵌合設置される。（図４（ｂ）においてこの嵌合状態を示す。）このように本発明の第２実施例の空気調和機の室内送風装置によれば、フィルターや室内熱交換器１２を通過した冷暖風が、室内に効率良く送風することができる。
【００１９】
（実施例３）
以下、本発明の第３実施例について図４を参照しながら説明する。図に示すように、送風モジュール８を形成するモータ支持体６と軸受支持体（図示せず）の嵌合対応部位となる空気調和機の本体の内部にくさび状の切欠嵌合部１０を形成したフレーム１１を設け、前記モータ支持体６の一部または軸受け支持体の一部に前記フレーム１１の側面に接触する弾性突起１３を設け構成する。
【００２０】
上記構成において、送風モジュール８を空気調和機の本体内部に設けられたフレーム１１に装着するとき、送風モジュール８を形成するモータ支持体６または軸受支持体に設けた弾性突起１３がフレーム１１の側面に接触して装着されることとなる。このように本発明の第３実施例の空気調和機の室内送風装置によれば、切欠嵌合部１０を形成した空気調和機の本体内部に設けられるフレーム１１の取付けが軸方向にばらつきを生じても弾性突起１３がそのばらつきを吸収し、送風モジュール８は、がたつくことなく精度良く嵌合設置することができる。
【００２１】
【発明の効果】
以上の実施例から明らかなように、本発明によれば室内送風用部材一式を独立組立の送風モジュールとして空気調和機の本体内に組み込む構成としているので、各部材の相対的取付寸法精度が図れ、特殊フィルターなどの採用によるファン圧損増加により各構成部材の取付精度が要求される場合でも平均的な風速分布を得ることができ、また、送風モジュールごとの品質保証が容易におこなえるとともに、サービス性も含めた生産性を向上した空気調和機の室内送風装置を提供できる。
【００２２】
また、空気調和機の本体内部のフレームにくさび状の切欠嵌合部を設け、軸受支持体とモータ支持体が前記切欠嵌合部に脱着可能に嵌合する構成としているので、がたつくことなく、空気調和機の本体に精度良く嵌合設置できることとなる。
【００２３】
また、軸受支持体またはモータ支持体の一部に空気調和機の本体内部のフレームに接触する弾性突起を設けた構成としているので、空気調和機本体の嵌合設置部分が軸方向に対するばらつきを生じてもそれらを吸収し、上記モジュール化を図った空気調和機の室内送風装置が、がたつくことなく精度良く嵌合設置することができることとなる。
【図面の簡単な説明】
【図１】  本発明の第１実施例の空気調和機の室内送風装置の構成を示す斜視図
【図２】  同第２実施例の空気調和機のフレーム部を示す斜視図
【図３】  同第２実施例の空気調和機の設置状態を示す斜視図
【図４】  （ａ）同第３実施例の空気調和機の室内送風装置の一部の構成を示す斜視図（ｂ）同第２及び第３実施例の空気調和機の室内送風装置の嵌合状態を示す斜視図
【図５】  従来の空気調和機の室内送風装置の構成を示す斜視図
【符号の説明】
１    舌部
２    ファンケーシング
３    軸受支持体
４    貫流ファン
５    モータ
６    モータ支持体
８    送風モジュール
９    本体
１０  切欠嵌合部
１１  フレーム
１３  弾性突起
【図１】
0003712745.tif 000002
【図２】
0003712745.tif 000003
【図３】
0003712745.tif 000004
【図４】
0003712745.tif 000005
【図５】
0003712745.tif 000006